(57)【特許請求の範囲】
【請求項１】
フィルター外周枠（１）は前面に他の光学系アタッチメント螺合連結用の雌ネジ部（８）を有する雌ネジ外筒（９）と前記フィルター外周枠（１）の後方に配置されデジタルカメラのレンズ鏡筒内に螺合連結される雄ネジ部（６）を有する雄ネジ外筒（１０）を有しており、
該雄ネジ外筒（１０）にはフィルターレンズ（２）が嵌着されてデジタルカメラのレンズ鏡筒内に配置されることで前記フィルター外周枠（１）はデジタルカメラのレンズ鏡筒より僅かに前面に突出した形状を有した薄型のフィルター外周枠（１）の外周部（１１）を構成し、
該薄型のフィルター外周枠（１）の外周部（１１）に刻設したローレット加工部（１２）と、前記フィルター外周枠（１）と隣接して設けられる小口の面取り面からなる外周枠小口面取り縁部（１３）に刻設したローレット加工部（１４）間に、Ｖ溝（１５）を刻設することによりローレットピッチの異なるローレット加工部（１２）、（１４）が前記Ｖ溝（１５）を介して互いに隣接して設けられるよう構成したこと、
を特徴とするデジタル１眼レフカメラ用のフィルター枠。
【請求項２】
フィルター外周枠はフィルターレンズ（１９）を嵌着するフィルター回転枠（１７）と基枠（２０）から構成され、
該フィルター回転枠（１７）と基枠（２０）間に円偏光用フィルターレンズや光状効果フィルターレンズ等のフィルターレンズ（１９）を嵌着して使用可能となし、
前記フィルター回転枠（１７）の外周部（２８）に刻設したローレット加工部（３０）と、該フィルター回転枠（１７）と隣接して設けられる小口の面取り面からなる外周枠小口面取り縁部（２９）に刻設したローレット加工部（３１）間にＶ溝（１５）を刻設することによりローレットピッチの異なるローレット加工部（３０）、（３１）が前記Ｖ溝（１５）を介して互いに隣接して設けられるよう構成したこと、
を特徴とするデジタル１眼レフカメラ用のフィルター枠。
【発明の詳細な説明】
【技術分野】
【０００１】
本発明はデジタル１眼レフカメラ用フィルター枠に関するものである。
本発明は、デジタル１眼レフカメラに対応できる薄型のフィルター枠の構造に関するものであり、広角レンズに装着してもケラレにくい薄型形状を有し、薄型でありながらデジタルカメラへの着脱操作がしやすく、また、円偏光フィルターや光状効果用フィルターの如く回転枠の回転操作を伴うフィルターにあっても操作性の高いフィルター枠を提供するものである。
【０００２】
本発明は、デジタル１眼レフカメラ用フィルター枠を提供し、特にレンズ保護用のフィルター、円偏光フィルター、光量減少用フィルター等と、特殊効果をもたらす光条効果用フィルター、被写体を柔らかく表現できるソフトフォーカス用フィルター枠等、利用価値の大きいデジタルカメラ用のフィルター枠構造に関するものである。
【背景技術】
【０００３】
デジタル１眼レフカメラの普及にともないファインダー内でフィルターの使用効果をダイレクトに確認しながら撮影する方法も可能になってきた。
【発明の開示】
【発明が解決しようとする課題】
【０００４】
本発明は、デジタル１眼レフカメラに最適なデジタルカメラ用フィルターを種々提供するものであり、特にレンズ保護用のフィルター、円偏光フィルター、光量調整フィルターと、特殊効果光条効果用フィルター、被写体を柔らかく表現できるソフトフォーカス用フィルターを提供するもので、その目的は薄型枠形状を有し広角レンズに装着してもケラレにくい形状を有し、且つ操作性の高いフィルター枠を提供するものである。
【課題を解決するための手段】
【０００５】
本発明において、フィルターレンズを嵌着するフィルター外周枠は、該前面に他の光学系アタッチメント螺合連結用の雌ネジ部を有し、該雌ネジ部の雌ネジ外筒が装着されるデジタルカメラのレンズ鏡筒より僅かに前面に突出した形状を有し、また、前記フィルター外周枠の後方にはカメラのレンズ鏡筒に螺合連結される雄ネジ部を有しており、前記フィルターレンズは後方に配置し、前記雄ネジが構成する雄ネジ外筒と共にカメラのレンズ鏡筒内に配置したことでフィルター外周枠の外周部で薄型デジタル１眼レフカメラ用のフィルター枠が得られた。
【０００６】
また、本発明においては、フィルターの外周枠の外周部に刻設したローレット加工部と外周枠小口面取り縁部に刻設したローレット加工部間に、Ｖ溝を刻設することによりローレットピッチの異なるローレット加工部が、前記Ｖ溝を介して互いに隣接して設けられるようになった。
【０００７】
そして、ローレットが刻設されたフィルター枠はデジタル１眼レフカメラに対応できる薄型のフィルター枠の構造を有し、広角レンズに装着してもケラレにく
い薄型形状とすることができ、薄型でありながらデジタルカメラのレンズ鏡筒へ
の着脱操作がしやすく、また、円偏光フィルターや光状効果用フィルターの如く回転枠の回転操作を伴うフィルターにあっても操作性の高いフィルター枠を提供できた。
【発明の効果】
【０００８】
斯くして、本発明は、デジタル１眼レフカメラに対応できる薄型のフィルター枠の構造に関するものであり、広角レンズに装着してもケラレにくい薄型形状を有し、薄型でありながらデジタルカメラへの着脱操作がしやすく、また、円偏光フィルターや光状効果用フィルターの如く回転枠の回転操作を伴うフィルターにあっても操作性の高いフィルター枠を提供することができた。
【発明を実施するための最良の形態】
【０００９】
本発明に係る薄型フィルター枠の形状は、フィルターレンズを嵌着するフィルター外周枠の前面に他の光学系アタッチメント螺合連結用の雌ネジ部を有し、該雌ネジ部の雌ネジ外筒が装着されるレンズ鏡筒より僅かに前面に突出した形状を有し、また、前記フィルター外周枠の後方にはデジタルカメラのレンズ鏡筒に螺合連結される雄ネジ部を有しており、前記フィルターレンズは後方に配置し、前記雄ネジが構成する雄ネジ外筒と共にカメラ鏡筒内に配置した、デジタル１眼レフカメラ用のフィルター枠である。
【００１０】
また、本発明は、フィルターの外周枠の外周部に刻設したローレット加工部と外周枠小口面取り縁部に刻設したローレット加工部間にＶ溝を刻設することによりローレットピッチの異なるローレット加工部が前記Ｖ溝を介して互いに隣接して設けられていることを特徴とする薄型フィルター枠からなるデジタル１眼レフカメラ用のフィルター枠を具現化した。
【実施例１】
【００１１】
図１乃至図５は本発明の実施例１を説明するもので、図１は実施例１のデジタル１眼フレカメラ用のフィルターレンズ組み立て図を示し、図２は図１の組み立て完了後の形状を示す一部断面図、図３はフィルターの外周部を説明する要部拡大図、図４は図３の説明図で要部斜視図、図５はフィルターの外周部に刻設されるローレット加工範囲説明図である。
【００１２】
図１乃至図５において、１はフィルター外周枠、２はフィルターレンズ、３はレンズ押さえバネを示している。フィルター外周枠１には、フィルターレンズ２
が嵌着するレンズ嵌着部４、レンズ押さえ内段部５、デジタルカメラのレンズ鏡
筒部に螺着するための雄ネジ部６、レンズ押さえバネ３の嵌合部７、他の光学系
アタッチメントの螺合連結を可能にする雌ネジ部８が設けられている。
【００１３】
而して、フィルターレンズ２を嵌着するフィルター外周枠１は該前面に他の光学系アタッチメント螺合連結用の雌ネジ部８を有し、該雌ネジ部８の雌ネジ外筒９が装着されるデジタルカメラのレンズ鏡筒（図示せず）より僅かに前面に突出した形状を有し、また、前記フィルター外周枠１の後方にはデジタルカメラのレンズ鏡筒に螺合連結される雄ネジ部6を有しており、前記フィルターレンズ２は後方に配置されて、前記雄ネジ部６が構成する雄ネジ外筒１０と共にカメラのレンズ鏡筒内に配置したことを特徴とする薄型フィルター外周枠１から成るデジタル１眼レフカメラ用のフィルター枠を構成している。
【００１４】
而して、フィルター外周枠１の外周部１１に刻設したローレット加工部１２と外周枠小口面取り縁部１３に刻設したローレット加工部１４間にＶ溝１５を刻設することによりローレットピッチの異なるローレット加工部が前記Ｖ溝１５を介して互いに隣接して設けられていることを特徴とする。
【００１５】
そして、上述のように刻設されたローレット加工部１２、１４は螺合による着脱操作やフィルター枠の回転動作が非常に円滑におこなえる。  
尚、図５は全外周枠小口面取り縁部１３にローレット加工１４を施すのに対してフィルター外周枠１の外周部１１にはローレット加工１２を対角９０°のみデ
ザイン的に行う一例を示しており、ローレット加工部１２は図５の実例等を任意
に実施できる。
【００１６】
また、実施例１のフィルター外周枠１は金属製素材にメッキし、黒色アルマイトを化学的に研磨して表面を荒らしたサテン仕上を施したもの、レンズ押さえバネは３は、黒色酸化第二銅皮膜仕上を施しており、フィルター外周枠１等での不要な反射を極力除去している。
【００１７】
而して、図１乃至図５にて説明したフィルター外周枠１は、レンズ保護フィルターレンズ、ソフトフォーカス用フィルターレンズ、光量調整フィルターレンズ等に使用できるものであり、該フィルター外周枠１にセットされるフィルターレンズ２のレンズ外周小口部１６にはそれぞれ墨塗りしてフィルターレンズ外周小口部１６からの内面反射を極限まで抑えている。
【実施例２】
【００１８】
図６並びに図７は本発明の実施例２を説明するもので、図６は実施例２のデジタル一眼レフカメラ用のフィルターレンズ組み立て図を示し、図７は図６の組み立て完了後の形状を示す一部断面図である。
【００１９】
図６、並びに図７において、１７はフィルター回転枠、１８はワッシャー、１９はフィルターレンズ、２０は基枠である。フィルター回転枠１７には、フィルターレンズ１７が嵌着するレンズ嵌着部２１、レンズ押さえ内段部２２、ワッシャー嵌合部２３、他の光学系アタッチメントの螺合連結を可能にする雌ネジ２４が設けられている。
【００２０】
前記基枠２０にはフィルターレンズ１９の嵌合部２５とデジタルカメラのレン
ズ鏡筒部に螺着するための雄ネジ２６が設けられている。そして、上記フィルタ
ー回転枠１７、基枠２０等には金属製素材にメッキし、黒色アルマイトを化学的に研磨して表面を荒らしたサテン仕上を施しており、フィルター回転枠１７、並びに基枠２０での不要な反射を極力除去している。
【００２１】
而して図６、並びに図７にて説明したフィルター回転枠１７は円偏光用フィルターレンズ、光状効果フィルターレンズ等に使用できるものであり、該フィルター回転枠１７にセットされるフィルターレンズ１９のレンズ外周小口部２７はそれぞれ墨塗りしてフィルターレンズ外周小口２７からの内面反射を極限まで抑えている。
【００２２】
更に、実施例２にあっては、フィルター回転枠１７を操作性良く回転させるためにフィルター回転枠１７の外周部２８、外周枠小口面取り縁部２９に実施例一
の如くローレット加工部３０、３１を刻設することにより、非常に操作性の良い
デジタルカメラ用のフィルター枠が提供できた。
【産業上の利用の可能性】
【００２３】
斯くして本発明は、デジタル１眼レフカメラに対応できる薄型のフィルター枠の構造に関するものであり、広角レンズに装着してもケラレにくい薄型形状を有し、薄型でありながらデジタルカメラへの着脱操作がしやすく、また、円偏光フィルターや光状効果用フィルターの如く回転枠の回転操作を伴うフィルターにあっても操作性の高いフィルター枠を提供するもので、その産業上の利用価値は多大なものがある。
【図面の簡単な説明】
【００２４】
【図１】本発明の実施例１を説明する組み立て図である。
【図２】図１の組み立て完了状態を説明する一部断面図である。
【図３】フィルター枠の外周部を説明する要部拡大図である。
【図４】図３の説明図で要部斜視図である。
【図５】フィルター枠の外周部に刻設されるローレット加工範囲説明図である。
【図６】図６は実施例２のデジタル一眼レフカメラ用のフィルターレンズ組み立      て図を示している。
【図７】図７は図６の組み立て完了後の形状を示す一部断面図である。
【符号の説明】
【００２５】
１  フィルター外周枠
２  フィルターレンズ
３  レンズ押さえバネ
４  レンズ嵌着部
５  レンズ押さえ内段部
６  雄ネジ部
７  バネの嵌合部
８  雌ネジ部
９  雌ネジ外筒部
１０  雄ネジ外筒
１１  外周部
１２  ローレット加工部
１３  外周枠小口面取り縁部
１４  ローレット加工部
１５  Ｖ溝
１６  レンズ外周小口部
１７  フィルター回転枠
１８  ワッシャー
１９  フィルターレンズ
２０  基枠
２１  レンズ嵌着部
２２  レンズ押さえ内段部
２３  ワッシャー嵌合部
２４  雌ネジ
２５  嵌合部
２６  雄ネジ
２７  フィルターレンズ外周小口
２８  外周部
２９  外周枠小口面取り縁部
３０  ローレット加工部
３１  ローレット加工部
【図１】
0004030520.tif 000002
【図２】
0004030520.tif 000003
【図３】
0004030520.tif 000004
【図４】
0004030520.tif 000005
【図５】
0004030520.tif 000006
【図６】
0004030520.tif 000007
【図７】
0004030520.tif 000008